(57)【特許請求の範囲】
【請求項１】
接続部材と、
前記接続部材に接続された信号伝送部を有するケーブルと、
シールドケースとを備えており、
前記シールドケースは、第１、第２シェルと、
第１把持部とを備えており、
前記第１、第２シェルは、互いに第１方向において組み合わせられ、前記接続部材及び前記信号伝送部を少なくとも部分的に覆う筒をなしており、
前記第１シェルは、前記第１方向に直交する第２方向の一方側の端面を有しており、
前記第１把持部は、前記第１シェルの前記端面よりも前記第２方向の一方側に位置するように前記第２シェルに設けられ且つ前記ケーブルを把持する筒又は半筒であって、前記第１シェルの前記端面の少なくとも一部に当接しているプラグコネクタ。
【請求項２】
請求項１記載のプラグコネクタにおいて、
前記第１シェルは、前記第２方向に延びた半筒を有し、前記第１シェルの前記半筒は、前記端面を有しており、
前記端面は、当該端面の前記第１方向の一方側の第１部と、
当該端面の前記第１方向及び前記第２方向に交差する第３方向の一方側の第２部と、
当該端面の前記第３方向の他方側の第３部とを有しており、
前記第２シェルは、前記第１シェルの前記半筒に組み合わせられる半筒又は板であり、
前記第１把持部は、前記第１部、前記第２部及び前記第３部の少なくとも一つに当接しているプラグコネクタ。
【請求項３】
請求項１〜２の何れかに記載のプラグコネクタにおいて、
前記シールドケースは、前記第１、第２シェルの何れか一方のシェルに設けられており且つ前記第２方向に延びた係合アームと、
前記第１、第２シェルの他方のシェルに設けられており且つ前記係合アームを係合する第１係合孔とを更に有しているプラグコネクタ。
【請求項４】
請求項２記載のプラグコネクタにおいて、
前記シールドケースは、前記第３方向において互いに対向するように前記第１、第２シェルの何れか一方のシェルに設けられており且つ前記第２方向に延びた一対の係合アームと、
前記第３方向において互いに対向するように前記第１、第２シェルの他方のシェルに設けられた一対の第１係合孔とを更に有しており、
前記係合アームが前記他方のシェルの外側から前記第１係合孔に各々係合されているプラグコネクタ。
【請求項５】
請求項１〜４の何れかに記載のプラグコネクタにおいて、
前記シールドケースは、前記第１、第２シェルの何れか一方のシェルに設けられた第２係合孔と、
前記第１、第２シェルの他方のシェルに設けられており且つ前記第２係合孔に係合される係合突部とを更に有しているプラグコネクタ。
【請求項６】
請求項２又は４記載のプラグコネクタにおいて、
前記シールドケースは、前記第３方向において互いに対向するように前記第１、第２シェルの何れか一方のシェルに設けられた一対の第２係合孔と、
前記第３方向において互いに対向するように前記第１、第２シェルの他方のシェルに設けられた一対の係合突部とを更に有しており、
前記係合突部は、前記一方のシェルの内側から前記第２係合孔に各々係合されているプラグコネクタ。
【請求項７】
請求項１〜６の何れかに記載のプラグコネクタにおいて、
前記シールドケースは、第２把持部を更に有しており、
前記第２把持部は、前記第１シェルの前記端面よりも前記第２方向の一方側に位置するように当該第１シェルに設けられた筒又は半筒であって、前記ケーブルを把持しているプラグコネクタ。
【請求項８】
請求項７記載のプラグコネクタにおいて、
前記第１把持部は、前記第２把持部上から前記ケーブルを把持しているプラグコネクタ。
【請求項９】
請求項１〜８の何れかに記載のプラグコネクタにおいて、
前記ケーブルが挿入されており且つ当該ケーブルに密着するリング状のガスケットを更に備えており、
前記シールドケースは、第３把持部を更に有しており、
前記第３把持部は、前記第１シェルの前記端面よりも前記第２方向の一方側に位置するように当該第１シェルに連結された筒又は半筒であって、前記ガスケットを把持しているプラグコネクタ。
【請求項１０】
請求項７〜８の何れかに記載のプラグコネクタにおいて、
前記ケーブルが挿入されており且つ当該ケーブルに密着するリング状のガスケットを更に備えており、
前記シールドケースは、第３把持部を更に有しており、
前記第３把持部は、前記第２把持部よりも前記第２方向の一方側に位置するように当該第２把持部に連結された筒又は半筒であって、前記ガスケットを把持しているプラグコネクタ。
【請求項１１】
請求項１〜１０の何れかに記載のプラグコネクタにおいて、
前記接続部材を保持する絶縁性を有するハウジングを更に備えており、
前記第１、第２シェルは、前記接続部材、前記ハウジング及び前記信号伝送部を少なくとも部分的に覆っているプラグコネクタ。
【発明の詳細な説明】
【技術分野】
【０００１】
本発明は、プラグコネクタに関する。
【背景技術】
【０００２】
従来のプラグコネクタは下記特許文献１に記載されている。このプラグコネクタは、ハウジングと、複数の端子と、ケーブルと、シールドケースとを備えている。ハウジングは、絶縁性を有する樹脂で構成されている。端子は、ハウジングに間隔をあけて保持されている。ケーブルは、複数の信号線を有している。この信号線の一端部がケーブルの一端部から突出している。信号線の一端部の芯線が端子に半田接続されている。シールドケースは、第１、第２シェルと、把持部とを有している。第１、第２シェルは、半筒である。第１、第２シェルが組み合わされて筒を構成している。組み合わされた第１、第２シェル内にハウジング及び信号線の一端部が収容されている。把持部は第１シェルの後端に連接された金属板である。この把持部は、ケーブルの外周に沿って円筒状に湾曲し、カシメられている。把持部がケーブルの一端部を把持している。
【先行技術文献】
【特許文献】
【０００３】
【特許文献１】特開平０９−１９９２３０号公報
【発明の概要】
【発明が解決しようとする課題】
【０００４】
上記従来のプラグコネクタはレセプタクルコネクタに接続された状態で、ケーブルが当該プラグコネクタの接続方向の成分を含む方向に移動させられることがある。このようにケーブルがこじられた場合、ケーブルを把持する把持部と第１シェルとの接続部分に負荷が集中する。このため、従来のプラグコネクタは、こじり強度が弱い。
【０００５】
本発明は、上記事情に鑑みて創案されたものであって、その目的とするところは、こじり強度を向上させることができるプラグコネクタを提供することにある。
【課題を解決するための手段】
【０００６】
上記課題を解決するために、本発明のプラグコネクタは、接続部材と、ケーブルと、シールドケースとを備えている。ケーブルは接続部材に接続された信号伝送部を有している。シールドケースは、第１、第２シェルと、第１把持部とを備えている。第１、第２シェルは、互いに第１方向において組み合わせられ、接続部材及び信号伝送部を少なくとも部分的に覆う筒をなしている。第１シェルは、第１方向に直交する第２方向の一方側の端面を有している。第１把持部は、第１シェルの端面よりも第２方向の一方側に位置するように第２シェルに設けられ且つケーブルを把持する筒又は半筒であって、第１シェルの端面の少なくとも一部に当接している。
【０００７】
このような態様のプラグコネクタは、こじり強度が向上する。その理由は以下の通りである。プラグコネクタがレセプタクルコネクタに第２方向に接続された状態（以下、接続状態）で、ケーブルが第２方向の他方側の成分を含む方向に移動させられたとしても（こじられたとしても）、第１把持部が第１シェルの端面の少なくとも一部に当接している。このため、当該こじりにより生じる負荷が第１シェルに分散される。
【０００８】
第１シェルは、第２方向に延びた半筒を有する構成とすることが可能である。この第１シェルの半筒は、端面を有する構成とすることが可能である。端面は、当該端面の第１方
向の一方側の第１部と、当該端面の第１方向及び第２方向に交差する第３方向の一方側の第２部と、当該端面の第３方向の他方側の第３部とを有する構成とすることが可能である。第２シェルは、第１シェルの半筒に組み合わせられる半筒又は板とすることが可能である。第１把持部は、第１部、第２部及び第３部の少なくとも一つに当接する構成とすることが可能である。
【０００９】
このような態様のプラグコネクタは、こじり強度が向上する。具体的には以下の通りである。１）上記接続状態で、ケーブルが第２方向の他方側及び第１方向の一方側の成分を含む方向に移動させられたとしても（こじられたとしても）、第１把持部が第１シェルの端面の第１部に当接している。このため、当該こじりにより生じる負荷が第１把持部及び第１シェルに分散される。２）上記接続状態で、ケーブルが第２方向の他方側及び第３方向の一方側の成分を含む方向に移動させられたとしても（こじられたとしても）、第１把持部が第１シェルの端面の第２部に当接している。このため、当該こじりにより生じる負荷が第１把持部及び第１シェルに分散される。３）上記接続状態で、ケーブルが第２方向の他方側及び第３方向の他方側の成分を含む方向に移動させられたとしても（こじられたとしても）、第１把持部が第１シェルの端面の第３部に当接している。このため、当該こじりにより生じる負荷が第１把持部及び第１シェルに分散される。
【００１０】
シールドケースは、係合アームと、第１係合孔とを更に有する構成とすることが可能である。係合アームは、第１、第２シェルの何れか一方のシェルに設けられており且つ第２方向に延びた構成とすることが可能である。第１係合孔は、第１、第２シェルの他方のシェルに設けられており且つ係合アームを係合する構成とすることが可能である。
【００１１】
このような態様のプラグコネクタは、こじり強度が更に向上し且つ引っ張り強度が向上する。なぜなら、係合アームが第１係合孔に係合されているためである。
【００１２】
係合アームは、一対であって、第３方向において互いに対向するように一方のシェルに設けられていても良い。第１係合孔は、一対であって、第３方向において互いに対向するように他方のシェルに設けられていても良い。係合アームは他方のシェルの外側から第１係合孔に各々係合された構成とすることが可能である。
【００１３】
このような態様のプラグコネクタは、こじり強度及び引っ張り強度が更に向上する。なぜなら、一対の係合アームが一対の第１係合孔に係合されているからである。
【００１４】
シールドケースは、第２係合孔と、係合突部とを更に有する構成とすることが可能である。第２係合孔は、第１、第２シェルの何れか一方のシェルに設けられた構成とすることが可能である。係合突部は、第１、第２シェルの他方のシェルに設けられており且つ第２係合孔に係合される構成とすることが可能である。
【００１５】
このような態様のプラグコネクタは、こじり強度が更に向上し且つ引っ張り強度が向上する。なぜなら、係合突部が第２係合孔に係合されているためである。
【００１６】
第２係合孔は、一対であって、第３方向において互いに対向するように一方のシェルに設けられていても良い。係合突部は、一対であって、第３方向において互いに対向するように他方のシェルに設けられていても良い。係合突部は一方のシェルの内側から第２係合孔に各々係合された構成とすることが可能である。
【００１７】
このような態様のプラグコネクタは、こじり強度及び引っ張り強度が更に向上する。なぜなら、一対の係合突部が一対の第２係合孔に係合されているからである。
【００１８】
シールドケースは、第２把持部を更に有する構成とすることが可能である。第２把持部は、第１シェルの端面よりも第２方向の一方側に位置するように当該第１シェルに設けられた筒又は半筒であって、ケーブルを把持する構成とすることが可能である。
【００１９】
このような態様のプラグコネクタは、こじり強度及び引っ張り強度が更に向上する。なぜなら、第１把持部に加えて、第２把持部が、ケーブルを把持しているからである。
【００２０】
第１把持部は、第２把持部上からケーブルを把持する構成とすることが可能である。
【００２１】
このような態様のプラグコネクタは、こじり強度及び引っ張り強度が更に向上する。なぜなら、第２把持部がケーブルを把持し、第１把持部が第２把持部上からケーブルを把持しているからである。
【００２２】
上記した何れかの態様のプラグコネクタは、ケーブルが挿入されており且つ当該ケーブルに密着するリング状のガスケットを更に備えた構成とすることが可能である。シールドケースは、第３把持部を更に有する構成とすることが可能である。第３把持部は、第１シェルの端面よりも第２方向の一方側に位置するように当該第１シェルに連結された筒又は半筒であって、ガスケットを把持する構成とすることが可能である。
【００２３】
このような態様のプラグコネクタは、こじり強度及び引っ張り強度が更に向上する。なぜなら、第３把持部がケーブルに密着したガスケットを把持しているからである。
【００２４】
第３把持部は、第１シェルに代えて、第２把持部よりも第２方向の一方側に位置するように当該第２把持部に連結された構成とすることが可能である。
【００２５】
このような態様のプラグコネクタは、こじり強度及び引っ張り強度が更に向上する。なぜなら、第１、第２把持部のケーブルの把持に加えて、第３把持部がケーブルに密着したガスケットを把持しているからである。
【００２６】
上記した何れかの態様のコネクタは、接続部材を保持する絶縁性を有するハウジングを更に備えた構成とすることが可能である。第１、第２シェルは、接続部材、ハウジング及び信号伝送部を少なくとも部分的に覆う構成とすることが可能である。
【図面の簡単な説明】
【００２７】
【図１Ａ】本発明の実施例に係るコネクタの正面、平面及び左側面から表した斜視図であって、ケースを除去した状態の図である。
【図１Ｂ】前記コネクタの背面、底面及び右側面から表した斜視図であって、ケースを除去した状態の図である。
【図２Ａ】前記コネクタの図１Ａ中の２Ａ−２Ａ断面図であって、ケーブル内の構造を図示省略した図である。
【図２Ｂ】前記コネクタの図１Ａ中の２Ｂ−２Ｂ断面図であって、ケーブル内の構造を図示省略した図である。
【図２Ｃ】前記コネクタの図１Ａ中の２Ｃ−２Ｃ断面図であって、ケーブル内の構造を図示省略した図である。
【図２Ｄ】前記コネクタの図１Ａ中の２Ｄ−２Ｄ断面図であって、ケーブル内の構造を図示省略した図である。
【図３】コネクタのハウジング、モールド部、ケーブル、ガスケット及びスペーサの正面、平面及び左側面から表した斜視図であって、モールド部を透過させた状態の図である。
【図４Ａ】前記コネクタのハウジング、端子及びケーブルの正面、平面及び左側面から表した分解斜視図である。
【図４Ｂ】前記コネクタのハウジング、端子及びケーブルの背面、底面及び左側面から表した分解斜視図である。
【図５Ａ】前記コネクタのシールドケースの第１シェル、第２把持部、第３把持部及び連結部の正面、平面及び左側面から表した斜視図である。
【図５Ｂ】前記コネクタのシールドケースの第１シェル、第２把持部、第３把持部及び連結部の背面、底面及び右側面から表した斜視図である。
【図６Ａ】前記コネクタのシールドケースの第２シェル及び第１把持部の正面、平面及び左側面から表した斜視図である。
【図６Ｂ】前記コネクタのシールドケースの第２シェル及び第１把持部の背面、底面及び右側面から表した斜視図である。
【発明を実施するための形態】
【００２８】
以下、本発明の実施例に係るプラグコネクタ（以下、プラグＰ）について図１Ａ〜図６Ｂを参照しつつ説明する。プラグＰは、複数の端子１００（接続部材）と、ハウジング２００と、ケーブル３００と、モールド部４００と、ガスケット５００と、スペーサ６００と、シールドケース７００と、図示しないケースとを備えている。以下、プラグＰの各構成要素について詳しく説明する。なお、図１Ａ〜図２Ａ及び図２Ｃ〜図２Ｄに示されるＺ−Ｚ’方向は、シールドケース７００の後述する第１、第２シェル７００ａ、７００ｂの組み合わせ方向であり且つ特許請求の範囲の第１方向に相当している。Ｚ方向は、特許請求の範囲の第１方向の一方側に相当している。Ｚ’方向は特許請求の範囲の第１方向の他方側に相当している。図１Ａ〜図２Ｃに示されるＹ−Ｙ’方向は、シールドケース７００の第１、第２シェル７００ａ、７００ｂの長手方向であって、プラグＰの図示しないレセプタクルコネクタ（以下、レセプタクル）に対する接続方向及び特許請求の範囲の第２方向に相当している。Ｙ−Ｙ’方向は、Ｚ−Ｚ’方向に直交している。Ｙ’方向は特許請求の範囲の第２方向の一方側に相当している。Ｙ方向は特許請求の範囲の第２方向の他方側に相当している。図１Ａ〜図１Ｂ、図２Ｂ及び図２Ｄに示されるＸ−Ｘ’方向は、シールドケース７００の第１、第２シェル７００ａ、７００ｂの短手方向であり且つ特許請求の範囲の第３方向に相当している。Ｘ−Ｘ’方向は、Ｚ−Ｚ’方向及びＹ−Ｙ’方向に直交（直角に交差）している。Ｘ方向は、特許請求の範囲の第３方向の一方側に相当している。Ｘ’方向は特許請求の範囲の第３方向の他方側に相当している。
【００２９】
ハウジング２００は、図３〜図４Ｂに最も良く示されているように、絶縁性を有する樹脂で構成されている。ハウジング２００は、中間部２１０と、先端部２２０と、後端部２３０と、複数の収容孔２４０ａ、２４０ｂとを有している。
【００３０】
中間部２１０は直方体のブロックである。先端部２２０は、中間部２１０のＹ方向側の端面からＹ方向に延びた立方体のブロックである。先端部２２０のＺ−Ｚ’方向の寸法は、中間部２１０のＺ−Ｚ’方向の寸法よりも小さく、且つ先端部２２０のＸ−Ｘ’方向の寸法は、中間部２１０のＸ−Ｘ’方向の寸法よりも小さい。先端部２２０がレセプタクルの接続穴に嵌合するプラグＰの接続部である。中間部２１０及び先端部２２０のＺ方向側の部分には、収容孔２４０ａがＸ−Ｘ’方向に間隔をあけて設けられている。中間部２１０及び先端部２２０のＺ’方向側の部分には、収容孔２４０ｂがＸ−Ｘ’方向に間隔をあけて設けられている。収容孔２４０ａ、２４０ｂは、図２Ａに最も良く示されているように、中間部２１０及び先端部２２０をＹ−Ｙ’方向に貫通している。
【００３１】
後端部２３０は、図３〜図４Ｂに示されるように、中間部２１０のＹ’方向側の面からＹ’方向に延びた矩形状の板である。後端部２３０のＺ−Ｚ’方向の寸法は、中間部２１０及び先端部２２０のＺ−Ｚ’方向の寸法よりも小さい。後端部２３０のＸ−Ｘ’方向の寸法は、中間部２１０のＸ−Ｘ’方向の寸法と同じである。後端部２３０は、一対の接続
溝２３１ａと、一対の接続溝２３１ｂと、一対の圧入穴２３２ａと、一対の圧入穴２３２ｂとを有している。
【００３２】
接続溝２３１ａは、図４Ｂに最も良く示されているように、後端部２３０のＺ方向側の面にＸ−Ｘ’方向に間隔をあけて設けられている。接続溝２３１ａは、Ｙ−Ｙ’方向に延び、Ｚ方向及びＹ’方向に開放されている。接続溝２３１ａは、収容孔２４０ａに各々連通している。接続溝２３１ｂは、後端部２３０のＺ’方向側の面にＸ−Ｘ’方向に間隔をあけて設けられている。接続溝２３１ｂは、Ｙ−Ｙ’方向に延び、Ｚ’方向及びＹ’方向に開放されている。接続溝２３１ｂは、収容孔２４０ｂに各々連通している。
【００３３】
圧入穴２３２ａは、後端部２３０の接続溝２３１ａよりもＺ’方向側の部分に各々設けられている。圧入穴２３２ａは、Ｙ−Ｙ’方向に延び、Ｙ’方向に開放されている。圧入穴２３２ａは、収容孔２４０ａに各々連通し且つ接続溝２３１ａに各々連通している。圧入穴２３２ａのＸ−Ｘ’方向の寸法は、接続溝２３１ａのＸ−Ｘ’方向の寸法よりも大きい。圧入穴２３２ｂは、後端部２３０の接続溝２３１ｂよりもＺ方向側の部分に各々設けられている。圧入穴２３２ｂは、Ｙ−Ｙ’方向に延び、Ｙ’方向に開放されている。圧入穴２３２ｂは、収容孔２４０ｂに各々連通し且つ接続溝２３１ｂに各々連通している。圧入穴２３２ｂのＸ−Ｘ’方向の寸法は、接続溝２３１ｂのＸ−Ｘ’方向の寸法よりも大きい。
【００３４】
各端子１００は、図４Ａ〜図４Ｂに最も良く示されているように、金属板で構成されている。端子１００は、中間部１１０と、一対の接点部１２０と、接続部１３０とを有している。中間部１１０は円筒状に湾曲した板である。接点部１２０は、中間部１１０のＹ方向の端面からＹ方向に延びた半円筒状の板であって、Ｘ−Ｘ’方向において互いに対向している。接続部１３０は、中間部１１０のＹ’方向の端面からＹ’方向に延びた略矩形状の平板である。接続部１３０のＸ−Ｘ’方向の寸法は、ハウジング２００の圧入穴２３２ａ又は２３２ｂのＸ−Ｘ’方向の寸法よりも若干大きい。
【００３５】
端子１００のうちの二つの端子１００は、中間部１１０及び接点部１２０がハウジング２００の収容孔２４０ａに各々挿入され、接続部１３０がハウジング２００の圧入穴２３２ａに各々圧入されている。残りの二つの端子１００は、中間部１１０及び接点部１２０がハウジング２００の収容孔２４０ｂに各々挿入され、接続部１３０がハウジング２００の圧入穴２３２ｂに各々圧入されている。二つの端子１００と残り二つの端子１００とはＺ−Ｚ’方向において対称となるように配置されている。
【００３６】
上記の通り、ハウジング２００の先端部２２０がレセプタクルの接続穴に接続された状態で、レセプタクルのピンが収容孔２４０ａ、２４０ｂから端子１００の接点部１２０間に各々挿入される。このとき、接点部１２０がピンに弾性接触する。これにより、プラグＰとレセプタクルとが接続される。
【００３７】
ケーブル３００は、図４Ａ及び図４Ｂに最も良く示されているように、複数の信号線３１０（信号伝送部）と、図示しないシールド導体と、外側絶縁体３２０とを有している。信号線３１０は、芯線３１１と、内側絶縁体３１２とを有している。内側絶縁体３１２は芯線３１１を覆う筒状の絶縁体である。シールド導体は、全ての信号線３１０を覆う筒状の導体である。外側絶縁体３２０は、シールド導体を覆う筒状の絶縁体である。外側絶縁体３２０及びシールド導体のＹ方向側の端部がカットされ、信号線３１０が外側絶縁体３２０及びシールド導体からＹ方向側に突出している。以下、この突出部分を信号線３１０の突出部と称する。信号線３１０の突出部の内側絶縁体３１２のＹ方向側の端部がカットされ、芯線３１１がＹ方向側に突出している。以下、この突出部分を芯線３１１の突出部と称する。信号線３１０のうちの二つの信号線３１０の芯線３１１の突出部がハウジング
２００の接続溝２３１ａに各々収容され、Ｚ方向側の二つの端子１００の接続部１３０に各々半田接続されている（図２Ａ参照）。残りの二つの信号線３１０の芯線３１１の突出部がハウジング２００の接続溝２３１ｂに各々収容され、Ｚ’方向側の二つの端子１００の接続部１３０に各々半田接続されている（図２Ａ参照）。なお、図２Ａ〜図２Ｄの簡略化のため、当該図２Ａ〜図２Ｄでは、ケーブル３００の断面のみが図示省略されている。
【００３８】
モールド部４００は、ハウジング２００の後端部２３０に固定された絶縁性を有する成形樹脂である。モールド部４００内には、ハウジング２００の後端部２３０、端子１００の接続部１３０及びケーブル３００の信号線３１０の突出部が埋め込まれている。モールド部４００は、ハウジング２００の後端部２３０、端子１００の接続部１３０及びケーブル３００の信号線３１０の突出部に各々密着している。
【００３９】
ガスケット５００はリング状の弾性体（例えば、シリコンゴム等）である。ガスケット５００の内径は、ケーブル３００の外側絶縁体３２０の外径よりも若干小さい。ガスケット５００内にケーブル３００が挿入され、当該ガスケット５００がケーブル３００の外側絶縁体３２０に密着している。ガスケット５００は、ガスケット５００の外周面には、リング状の嵌合凹部５１０が設けられている。
【００４０】
スペーサ６００は、絶縁性を有する樹脂で構成された円筒である。スペーサ６００の内径は、ケーブル３００の外側絶縁体３２０の外径よりも大きい。スペーサ６００内にケーブル３００が挿入されている。スペーサ６００はガスケット５００のＹ’方向側に位置している。スペーサ６００の外周面上には、複数の係合突部６１０が当該スペーサ６００の周方向に間隔をあけて設けられている。また、スペーサ６００の外周面上の隣り合う二つの係合突部６１０の間の領域には、ガイド突部６２０が設けられている。
【００４１】
シールドケース７００は、第１シェル７００ａと、第２シェル７００ｂと、第１把持部７００ｃと、第２把持部７００ｄと、第３把持部７００ｅと、連結部７００ｆとを有している。第１シェル７００ａ、第２把持部７００ｄ、第３把持部７００ｅ及び連結部７００ｆは、一枚の金属板で構成されている。第２シェル７００ｂ及び第１把持部７００ｃは、一枚の金属板で構成されている。
【００４２】
第１シェル７００ａは、図５Ａ及び図５Ｂに最も良く示されているように、筒７１０ａと、半筒７２０ａと、一対の係合孔７３０ａ（第１係合穴）と、一対の係合突部７４０ａと、一対の脚部７５０ａと、連結部７６０ａとを有している。
【００４３】
半筒７２０ａは、Ｙ−Ｙ’方向に延びた半角筒であって、Ｚ’方向側に開放されている。半筒７２０ａは、Ｚ方向側の板と、Ｘ方向側の側板と、Ｘ’方向側の側板と、Ｙ’方向側の端面７２１ａとを有している。Ｘ方向側の側板は、Ｚ方向側の板のＸ方向側の端からＺ’方向に延びている。Ｘ’方向側の側板は、Ｚ方向側の板のＸ’方向側の端からＺ’方向に延びている。両側板の内面のＸ−Ｘ’方向の間隔は、モールド部４００のＸ−Ｘ’方向の寸法と略同じである。半筒７２０ａ内にモールド部４００の後端部２３０に固定された部分以外の部分が嵌合している（図２Ａ〜図２Ｃ参照）。
【００４４】
半筒７２０ａのＺ方向側の板、Ｘ方向側の側板及びＸ’方向側の側板は、Ｙ’方向側の端面を各々有している。このＹ’方向側の端面が半筒７２０ａのＹ’方向側の端面７２１ａを構成している。端面７２１ａは、第１部７２１ａ１と、第２部７２１ａ２と、第３部７２１ａ３とを有している。第１部７２１ａ１は、端面７２１ａのＺ方向側の部分（Ｚ方向側の板のＹ’方向側の端）である。第２部７２１ａ２は、端面７２１ａのＸ方向側の部分（Ｘ方向側の側板のＹ’方向側の端）である。第３部７２１ａ３は、端面７２１ａのＸ’方向側の部分（Ｘ’方向側の側板のＹ’方向側の端）である。
【００４５】
筒７１０ａは、半筒７２０ａからＹ方向に延びた角筒である。筒７１０ａの内形は、ハウジング２００の中間部２１０の外形に対応している。筒７１０ａ内にハウジング２００の先端部２２０が間隙を有して収容され、且つ筒７１０ａ内にハウジング２００の中間部２１０、ハウジング２００の後端部２３０及びモールド部４００の後端部２３０に固定された部分が嵌合している（図２Ａ〜図２Ｃ参照）。
【００４６】
筒７１０ａは、Ｚ方向側の天板と、Ｚ’方向側の底板と、Ｘ方向側の側板と、Ｘ’方向側の側板とを有している。Ｘ方向側の側板は、天板のＸ方向側の端と、底板のＸ方向側の端とを連結している。Ｘ’方向側の側板は、天板のＸ’方向側の端と、底板のＸ’方向側の端とを連結している。
【００４７】
係合孔７３０ａのうちの一方は、筒７１０ａの底板のＸ方向側の端部及びＸ方向の側板のＺ’方向側の部分に設けられたスリットである。他方は、筒７１０ａの底板のＸ’方向側の端部及びＸ’方向の側板のＺ’方向側の部分に設けられたスリットである。係合孔７３０ａは、Ｘ−Ｘ’方向において互いに対向している。
【００４８】
係合突部７４０ａは、半筒７２０ａの側板が各々カットされ、外側に折り曲げられた板である。係合突部７４０ａはＸ−Ｘ’方向において互いに対向している。脚部７５０ａは、半筒７２０ａの側板のＺ’方向の端に各々突設された突起である。連結部７６０ａは、半筒７２０ａのＺ方向側の板のＹ’方向側の端部の中央部に設けられている。連結部７６０ａは、Ｙ−Ｙ’方向に延びる板である。
【００４９】
第２把持部７００ｄは、第１シェル７００ａの連結部７６０ａに連接された板であって、半筒７２０ａの端面７２１ａのＹ’方向側に位置している。第２把持部７００ｄは、ケーブル３００の外周に沿って円筒状に湾曲させられ、円筒をなしている。第２把持部７００ｄが、シールド導体に接触するようにケーブル３００を把持している（図２Ａ〜図２Ｄ参照）。換言すると、ケーブル３００が第２把持部７００ｄ内に挿入され、当該第２把持部７００ｄに把持されている。
【００５０】
第３把持部７００ｅは、第２把持部７００ｄよりもＹ’方向側に位置するように、第２把持部７００ｄに連結部７００ｆによって連結された板である。第３把持部７００ｅは、ガスケット５００の嵌合凹部５１０の底面に沿って円筒状に湾曲させられ、円筒をなしている。第３把持部７００ｅが、ガスケット５００の嵌合凹部５１０に嵌合し、当該ガスケット５００を把持している（図２Ａ〜図２Ｃ参照）。連結部７００ｆは第２把持部７００ｄの頂部と第３把持部７００ｅの頂部とを連結する板である。
【００５１】
第２シェル７００ｂは、図６Ａ及び図６Ｂに最も良く示されているように、Ｚ−Ｚ’方向において第１シェル７００ａの半筒７２０ａに組み合わせられる半筒である。第２シェル７００ｂは、シェル本体７１０ｂと、連結部７２０ｂと、一対の係合孔７３０ｂ（第２係合孔）と、一対の係合孔７４０ｂと、一対の係合アーム７５０ｂとを有している。
【００５２】
シェル本体７１０ｂは半筒である。シェル本体７１０ｂは、Ｚ’方向側の板と、Ｘ方向側の側板と、Ｘ’方向側の側板とを有している。Ｘ方向側の側板は、Ｚ’方向側の板のＸ方向側の端からＺ方向に延びている。Ｘ’方向側の側板は、Ｚ’方向側の板のＸ’方向側の端からＺ方向に延びている。両側板の内面のＸ−Ｘ’方向の間隔は、第１シェル７００ａの半筒７２０ａの両側板の外面のＸ−Ｘ’方向の距離と略同じである。シェル本体７１０ｂの側板が半筒７２０ａの側板の外面に当接し、シェル本体７１０ｂのＺ’方向側の板が半筒７２０ａのＺ’側の開放部を閉塞している。このようにシェル本体７１０ｂと第１シェル７００ａの半筒７２０ａとがＺ−Ｚ’方向に組み合わされ、第１、第２シェル７０
０ａ、７００ｂが、端子１００、ハウジング２００、ケーブル３００の信号線３１０の突出部及びモールド部４００を覆う筒をなしている。
【００５３】
係合孔７３０ｂは、シェル本体７１０ｂの両側板に各々設けられた貫通孔であって、Ｘ−Ｘ’方向において互いに対向している。係合孔７３０ｂの形は、第１シェル７００ａの係合突部７４０ａの外形に対応している。第１シェル７００ａの半筒７２０ａの係合突部７４０ａがシェル本体７１０ｂの内側から係合孔７３０ｂに各々係合されている。係合孔７４０ｂは、シェル本体７１０ｂの両側板の係合孔７３０ｂよりもＺ’方向側の部分及びシェル本体７１０ｂのＺ’方向側の板のＸ−Ｘ’方向の両端部に各々設けられた貫通孔である。係合孔７４０ｂは、Ｚ−Ｚ’方向に延びている。係合孔７４０ｂのＹ−Ｙ’方向の寸法は、第１シェル７００ａの脚部７５０ａのＹ−Ｙ’方向の寸法と略同じ又は若干大きい。脚部７５０ａが係合孔７４０ｂに各々係合されている。
【００５４】
係合アーム７５０ｂは、シェル本体７１０ｂの両側板からＹ方向に各々延びた板であって、Ｘ−Ｘ’方向において互いに対向している。係合アーム７５０ｂのＹ方向側の自由端は、内側に折り曲げられている。係合アーム７５０ｂの自由端が第１シェル７００ａの係合孔７３０ａに当該第１シェル７００ａの外側から各々係合されている。
【００５５】
連結部７２０ｂは、シェル本体７１０ｂのＺ’方向側の板のＹ’方向側の端部の中央部に設けられている。連結部７２０ｂは、Ｙ−Ｙ’方向に延びる板である。
【００５６】
第１把持部７００ｃは、第２シェル７００ｂの連結部７２０ｂに連接された板であって、第１シェル７００ａの端面７２１ａのＹ’方向側に位置している。第１把持部７００ｃは、第２把持部７００ｄの外面に沿って円筒状に湾曲させられ、円筒をなしている。第１把持部７００ｃが、第２把持部７００ｄを把持している。すなわち、第１把持部７００ｃが、第２把持部７００ｄ上からケーブル３００を把持している。第１把持部７００ｃの内径は、当該第１把持部７００ｃが第１シェル７００ａの端面７２１ａの第１部７２１ａ１、第２部７２１ａ２及び第３部７２１ａ３に当接する大きさに設定されている。第１把持部７００ｃは、第１シェル７００ａの端面７２１ａの第１部７２１ａ１、第２部７２１ａ２及び第３部７２１ａ３に当接している。第１把持部７００ｃは、第２把持部７００ｄに接触することによって、ケーブル３００のシールド導体に電気的に接続されている。
【００５７】
ケースは、絶縁性を有する樹脂で構成されている。ケース内には、収容孔が設けられている。この収容孔内に、端子１００、ハウジング２００、ケーブル３００のＹ方向側の端部、モールド部４００、ガスケット５００、スペーサ６００及びシールドケース７００が収容されている。ケースの収容孔の内面には、スペーサ６００のガイド突部６２０に対応するガイド凹部が設けられている。ガイド凹部はＹ−Ｙ’方向に延びている。更に、ケースの収容孔の内面には、スペーサ６００の係合突部６１０に各々対応する位置に係合凹部が設けられている。係合凹部に係合突部６１０が係合されている。この係合によって、スペーサ６００がケースに固定されている。
【００５８】
以下、上記した構成のプラグＰの組み立て手順について詳しく説明する。まず、端子１００及びハウジング２００を用意する。端子１００の接点部１２０及び中間部１１０をハウジング２００の収容孔２４０ａ、２４０ｂにＹ’方向側から各々挿入する。すると、端子１００の接点部１２０及び中間部１１０が収容孔２４０ａ、２４０ｂに各々収容され、接続部１３０がハウジング２００の接続溝２３１ａ、２３１ｂに各々圧入される。このようにして端子１００がハウジング２００に保持される。
【００５９】
その一方で、ケーブル３００及びスペーサ６００を用意する。その後、ケーブル３００のＹ方向側の端部をスペーサ６００内に挿入する。その後、ガスケット５００を用意する。ケーブル３００のＹ方向側の端部をガスケット５００内に挿入する。これにより、ガスケット５００がケーブル３００に外嵌し、スペーサ６００のＹ方向側に配置される。
【００６０】
その後、ケーブル３００の信号線３１０の芯線３１１の突出部を、ハウジング２００の接続溝２３１ａ、２３１ｂに各々挿入し、端子１００の接続部１３０に接触させる。その後、芯線３１１の突出部を接続部１３０に各々半田接続させる。その後、ハウジング２００の後端部２３０及びケーブル３００の信号線３１０の突出部を図示しない金型内に入れる。その後、金型内に樹脂を射出する。硬化した樹脂がモールド部４００となる。このようにして、後端部２３０及びケーブル３００の信号線３１０の突出部がモールド部４００内にインサートされ且つモールド部４００が後端部２３０に固定される。
【００６１】
その後、第１シェル７００ａ、第２把持部７００ｄ、第３把持部７００ｅ及び連結部７００ｆを用意する。第１シェル７００ａ、第２把持部７００ｄ、第３把持部７００ｅ及び連結部７００ｆは、一枚の金属板をプレス成形することによって作成されている。第２把持部７００ｄ及び第３把持部７００ｅは板状であり、円筒をなしていない。第１シェル７００ａ内に、ハウジング２００及びモールド部４００を挿入する。この挿入によって、以下の１）〜３）通りとなる。１）ハウジング２００の先端部２２０が第１シェル７００ａの筒２１０ａ内に間隙を有して配置される。２）ハウジング２００の中間部２１０、後端部２３０及びモールド部４００の後端部２３０に固定された部分が筒２１０ａに嵌合する。３）モールド部４００の残りの部分が第１シェル７００ａの半筒７２０ａに覆われる。
【００６２】
その後、第２把持部７００ｄをケーブル３００の外周に沿って円筒状に湾曲させる。この第２把持部７００ｄをカシメる。これにより、第２把持部７００ｄがケーブル３００を把持する。このとき、第２把持部７００ｄがケーブル３００のシールド導体に接触し、電気的に接続される。その後、第３把持部７００ｅをガスケット５００の嵌合凹部５１０の底面に沿って円筒状に湾曲させる。第３把持部７００ｅをカシメる。これにより、第３把持部７００ｅがガスケット５００を把持する。
【００６３】
その後、第２シェル７００ｂ及び第１把持部７００ｃを用意する。第２シェル７００ｂ及び第１把持部７００ｃは、一枚の金属板をプレス成形することによって作成されている。第１把持部７００ｃは板状であり、円筒をなしていない。第２シェル７００ｂと第１シェル７００ａとをＺ−Ｚ’方向において組み合わせる。すると、第２シェル７００ｂが第１シェル７００ａの半筒７２０ａに被せられ、半筒７２０ａの開放部を閉塞する。この第２シェル７００ｂの第１シェル７００ａに対する取り付けによって、以下の１）〜４）通りとなる。１）第２シェル７００ｂの係合アーム７５０ｂがＺ’方向側から第１シェル７００ａの係合孔７３０ａに各々挿入され、係合される。２）第１シェル７００ａの係合突部７４０ａが第２シェル７００ｂの係合孔７３０ｂに各々挿入され、係合される。３）第１シェル７００ａの脚部７５０ａが第２シェル７００ｂの係合孔７４０ｂに各々挿入され、係合される。
【００６４】
その後、第１把持部７００ｃを第２把持部７００ｄの外周に沿って円筒状に湾曲させる。この第１把持部７００ｃをカシメる。これにより、第１把持部７００ｃが第２把持部７００ｄを把持する。すなわち、第１把持部７００ｃが第２把持部７００ｄを介してケーブル３００を把持する。このとき、第１把持部７００ｃを第１シェル７００ａのＹ’方向側の端面７２１ａの第１部７２１ａ１、第２部７２１ａ２及び第３部７２１ａ３に当接させる。その後、ケースを用意する。ケースの収容孔内に、端子１００、ハウジング２００、ケーブル３００Ｙ方向側の端部、モールド部４００、ガスケット５００、スペーサ６００及びシールドケース７００を収容させる。スペーサ６００がケースに固定される。以上のようにプラグＰが組み立てられる。
【００６５】
上記したプラグＰは以下の技術的特徴及び効果を有する。第１に、プラグＰのこじり強度が向上する。その理由は以下の通りである。プラグＰがレセプタクルに接続された状態（以下、接続状態）で、ケーブル３００がＹ方向に移動させられた（こじられた）としても、当該こじりによって生じる負荷が第１シェル７００ａ及び第１把持部７００ｃに分散される。ケーブル３００を把持する第１把持部７００ｃが第１シェル７００ａのＹ’方向側の端面７２１ａの第１部７２１ａ１、第２部７２１ａ２及び第３部７２１ａ３に当接しているためである。上記接続状態で、ケーブル３００がＹ方向及びＺ方向の成分を含む方向に移動させられた（こじられた）としても、当該こじりによって生じる負荷が第１シェル７００ａ及び第１把持部７００ｃに分散される。ケーブル３００を把持する第１把持部７００ｃが第１シェル７００ａのＹ’方向側の端面７２１ａのＺ方向側の第１部７２１ａ１に当接しているためである。上記接続状態で、ケーブル３００がＹ方向及びＸ方向の成分を含む方向に移動させられた（こじられた）としても、当該こじりによって生じる負荷が第１シェル７００ａ及び第１把持部７００ｃに分散される。ケーブル３００を把持する第１把持部７００ｃが第１シェル７００ａの端面７２１ａのＸ方向側の第２部７２１ａ２に当接しているためである。上記接続状態で、ケーブル３００がＹ方向及びＸ’方向の成分を含む方向に移動させられた（こじられた）としても、当該こじりによって生じる負荷が第１シェル７００ａ及び第１把持部７００ｃに分散される。ケーブル３００を把持する第１把持部７００ｃが第１シェル７００ａの端面７２１ａのＸ’方向側の第３部７２１ａ３に当接しているためである。しかも、第２シェル７００ｂの係合アーム７５０ｂが第１シェル７００ａの係合孔７３０ａに外側から係合される一方、第１シェル７００ａの係合突部７４０ａが第２シェル７００ｂの係合孔７３０ｂに内側から係合されている。第１シェル７００ａの脚部７５０ａが第２シェル７００ｂの係合孔７４０ｂに係合されている。このように第１、第２シェル７００ａ、７００ｂが互いに固定されているので、上記こじりによって生じる負荷を第１、第２シェル７００ａ、７００ｂにも分散させることができる。更に、第２把持部７００ｄがケーブル３００を把持し、且つ第３把持部７００ｅがケーブル３００に外嵌したガスケット５００を把持している。よって、上記こじりによって生じる負荷を第２把持部７００ｄ及び第３把持部７００ｅにも分散させることができる。
【００６６】
第２に、プラグＰの引っ張り強度が向上する。その理由は以下の通りである。第１把持部７００ｃ及び第２把持部７００ｄがケーブル３００を把持しており、且つ第３把持部７００ｅがケーブル３００に外嵌したガスケット５００を把持している。しかも、上記の通り、第１、第２シェル７００ａ、７００ｂが互いに固定されている。
【００６７】
第３に、第１把持部７００ｃのカシメ作業が容易になる。上記の通り、ケーブル３００のこじりによって生じる負荷が、第１、第２シェル７００ａ、７００ｂ、第１把持部７００ｃ、第２把持部７００ｄ及び第３把持部７００ｅに分散される構成であるため、当該負荷に耐えるために第１把持部７００ｃ及び連結部７２０ｂの厚み等を増加させる必要がない。よって、第１把持部７００ｃのカシメを人力でも行うことが可能になる。当然、第１把持部７００ｃを、カシメ装置を用いてカシメても良い。
【００６８】
第４に、ケーブル３００が、第１、第２把持部７００ｃ、７００ｄに対してＹ方向にスライドし難い。第１把持部と第１シェルのＹ’方向側の端との間に間隙を有している場合、上記こじり及びこじり状態からの解放が繰り返されることによって、第１把持部が第１シェルに対してＹ−Ｙ’方向の移動を繰り返す。これにより、第１把持部に把持されるケーブルが当該第１把持部に対してＹ−Ｙ’方向にスライドする可能性が生じる。しかし、第１把持部７００ｃは、上記の通り、第１シェル７００ａのＹ’方向側の端面７２１ａに当接している。このため、第１把持部７００ｃが第１シェル７００ａに対してＹ方向に移動することがないので、ケーブル３００が第１、第２把持部７００ｃ、７００ｄに対してＹ方向にスライドし難い。
【００６９】
なお、本発明のプラグコネクタは、上記実施例に限定されるものではなく、特許請求の範囲の記載範囲において任意に設計変更することが可能である。以下、詳しく述べる。
【００７０】
本発明のケーブルは、信号伝送部を有する限り任意に設計変更することが可能である。例えば、ケーブルは、同軸ケーブルのような少なくとも一つの芯線を有する構成とすることが可能である。また、ケーブルは、光ファイバケーブルとすることが可能である。このケーブルは、信号伝送部である少なくとも一つの光ファイバを有する。
【００７１】
本発明の接続部材は、上記した何れかの態様のケーブルに接続される限り任意に設計変更することが可能である。例えば、接続部材は、端子、基板又は光電変換素子とすることが可能である。端子は、上記した何れかの態様のケーブルの芯線に直接接続される構成とすると良い。基板は、ケーブルの信号線の芯線の突出部が接続される少なくとも一つの第１電極を有している。基板が、レセプタクルコネクタの端子に接続可能な第２電極を有していても良い。また、基板に、レセプタクルコネクタの端子やピンに接続可能な端子が実装されていても良い。光電変換素子は、基板に実装されており且つ光ファイバケーブルの光ファイバに光結合されている。光電変換素子は、光ファイバによって伝送された光信号を電気信号に変換して基板の伝送路に出力する及び／又は基板の伝送路によって伝送された電気信号を光信号に変換して光ファイバに出力する構成となっている。
【００７２】
本発明のハウジングは省略可能である。本発明のハウジングは、絶縁性を有し且つ少なくとも上記した何れかの態様の接続部材を保持し得る限り任意に設計変更することが可能である。例えば、ハウジングは、上記した何れかの態様の接続部材がインサート成形された成形樹脂とすることが可能である。
【００７３】
本発明のモールド部、ガスケット及び／又はスペーサは省略可能である。本発明のガスケットは、上記した何れかの態様のケーブルが挿入されており且つ当該ケーブルに密着するリング状の弾性体である限り任意に設計変更することが可能である。
【００７４】
本発明のシールドケースは、上記実施例又は後記する何れかの態様の第１、第２シェル及び第１把持部を備えている限り任意に設計変更することが可能である。本発明の第１、第２シェルは、互いに第１方向において組み合わせられ、上記した何れかの態様の接続部材及び信号伝送部を少なくとも部分的に覆う筒をなしており、且つ第１シェルが第１方向に直交する第２方向の一方側の端面を有している限り任意に設計変更することが可能である。
【００７５】
例えば、本発明の第１シェルは、第２方向に延びたフラットな板、断面視略Ｕ字状の板、断面視略Ｖ字状の板又は断面視略円弧状の板であって、第２方向の一方側の端面を有する構成とすることが可能である。本発明の第１シェルは、第２方向に延びた半筒（半円筒又は半多角筒）であって、第２方向の一方側の端面を有する構成とすることが可能である。本発明の第１シェルは、第２方向に延びた半筒（半円筒又は半多角筒）と、第２方向に延びた筒（円筒又は多角筒）とを有し、半筒又は筒が第２方向の一方側の端面を有する構成とすることが可能である。この半筒と筒は、第１方向、及び／又は、第１方向及び第２方向に交差する第３方向の寸法が相違していても良い。上記した何れかの態様の第２方向の一方側の端面は、当該端面の第１方向の一方側の第１部と、当該端面の第３方向の一方側の第２部と、当該端面の第３方向の他方側の第３部とを有する構成とすることが可能である。
【００７６】
本発明の第２シェルは、第２方向に延びた平板、断面視略Ｖ字状の板又は断面視略円弧状の板であって、上記した第１シェルの半筒の開放部を塞ぐように第１方向において当該
第１シェルに組み合わせられて筒となる構成とすることが可能である。本発明の第２シェルは、第２方向に延びた半筒（半円筒又は半多角筒）とすることが可能である。この第２シェルの半筒に、当該半筒の開放部を塞ぐように上記した第１シェルの板が第１方向において組み合わせられて筒となる構成とすることが可能である。第２シェルの半筒と、上記第１シェルの半筒とが第１方向において当該第１シェルに組み合わせられて筒となる構成とすることが可能である。
【００７７】
本発明の第１把持部は、上記した何れかの態様の第１シェルの第２方向の一方側の端面よりも第２方向の一方側に位置するように上記した何れかの態様の第２シェルに設けられ且つ上記した何れかの態様のケーブルを把持する筒（円筒又は多角筒）又は半筒（半円筒又は半多角筒）であって、第１シェルの端面の少なくとも一部に当接している限り任意に設計変更することが可能である。例えば、第１把持部は、ケーブルを直接把持する構成とすることが可能である。また、第１把持部は、上記した何れかの態様の第１シェルの第２方向の一方側の端面の第１部、第２部及び第３部の少なくとも一つに当接する構成とすることが可能である。
【００７８】
本発明のシールドケースの係合アーム及び第１係合孔は省略可能である。本発明のシールドケースの係合アーム及び第１係合孔は少なくとも一つあれば良い。本発明の係合アームは、上記した何れかの態様の第１、第２シェルの何れか一方のシェルに設けられており且つ第２方向に延びている限り任意に設計変更することが可能である。本発明の第１係合孔は、上記した何れかの態様の第１、第２シェルの他方のシェルに設けられており且つ係合アームを係合し得る限り任意に設計変更することが可能である。例えば、上記した何れかの態様の係合アームが他方のシェルの外側又は内側から上記した何れかの態様の第１係合孔に係合された構成とすることが可能である。
【００７９】
本発明のシールドケースの第２係合孔及び係合突部は省略可能である。本発明のシールドケースの第２係合孔及び係合突部は少なくとも一つあれば良い。本発明の第２係合孔は、上記した何れかの態様の第１、第２シェルの何れか一方のシェルに設けられている限り任意に設計変更することが可能である。本発明の係合突部は、上記した何れかの態様の第１、第２シェルの他方のシェルに設けられており且つ第２係合孔に係合され得るものである限り任意に設計変更することが可能である。例えば、上記した何れかの態様の係合突部が上記した何れかの態様の第２係合孔に一方のシェルの内側又は外側から係合する構成とすることが可能である。本発明のシールドケースの第３係合孔及び脚部は省略可能である。
【００８０】
本発明のシールドケースの第２把持部は省略可能である。本発明の第２把持部は、上記した何れかの態様の第１シェルの第２方向の一方側の端面よりも第２方向の一方側に位置するように当該第１シェルの半筒に設けられた筒（円筒又は多角筒）又は半筒（半円筒又は半多角筒）であって、ケーブルを把持している限り任意に設計変更することが可能である。例えば、第２把持部が第１把持部よりも第２方向の一方側に位置し、第１、第２把持部が互いに直接的にケーブルを把持する構成とすることが可能である。また、第２把持部が、ケーブルを直接把持した第１把持部を把持する構成とすることが可能である。
【００８１】
本発明のシールドケースの第３把持部は省略可能である。本発明の第３把持部は、以下の１）又は２）の何れかの構成である限り任意に設計変更することが可能である。１）第３把持部は、上記した何れかの態様の第１シェルの第２方向の一方側の端面よりも第２方向の一方側に位置するように当該第１シェルに連結された筒（円筒又は多角筒）又は半筒（半円筒又は半多角筒）であって、上記した何れかの態様のガスケットを把持する構成とすることが可能である。この場合、第２把持部は省略される。２）第３把持部は、第２把持部よりも第２方向の一方側に位置するように当該第２把持部に連結された筒（円筒又は
多角筒）又は半筒（半円筒又は半多角筒）であって、上記した何れかの態様のガスケットを把持する構成とすることが可能である。
【００８２】
なお、上記実施例及び設計変形例におけるプラグコネクタの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。なお、本発明の第１方向は、上記した何れかの態様の第１、第２シェルが組み合わせられる方向である限り任意に設定することが可能である。本発明の第２方向は、第１方向に直交する限り任意に設定することが可能である。本発明の第３方向は、第１方向及び第２方向に交差する限り任意に設定することが可能である。
【符号の説明】
【００８３】
Ｐ・・・・・・・プラグ（プラグコネクタ）
１００・・・・端子（接続部材）
１１０・・・中間部
１２０・・・接点部
１３０・・・接続部
２００・・・・ハウジング
２１０・・・中間部
２２０・・・先端部
２３０・・・後端部
２３１ａ・接続溝
２３１ｂ・接続溝
２３２ａ・圧入穴
２３２ｂ・圧入穴
２４０ａ・・収容孔
２４０ｂ・・収容孔
３００・・・・ケーブル
３１０・・・信号線（信号伝送部）
３１１・・芯線
３１２・・内側絶縁体
３２０・・・外側絶縁体
４００・・・・モールド部
５００・・・・ガスケット
５１０・・・嵌合凹部
６００・・・・スペーサ
６１０・・・係合突部
６２０・・・ガイド突部
７００・・・・シールドケース
７００ａ・・第１シェル
７１０ａ・筒
７２０ａ・半筒
７２１ａ・端面（第２方向の一方側の端面）
７２１ａ１・第１部
７２１ａ２・第２部
７２１ａ３・第３部
７３０ａ・係合孔（第１係合孔）
７４０ａ・係合突部
７５０ａ・脚部
７６０ａ・連結部
７００ｂ・・第２シェル
７１０ｂ・シェル本体
７２０ｂ・連結部
７３０ｂ・係合孔（第２係合孔）
７４０ｂ・係合孔
７５０ｂ・係合アーム
７００ｃ・・第１把持部
７００ｄ・・第２把持部
７００ｅ・・第３把持部
７００ｆ・・連結部
【図１Ａ】
0006276157.tif 000002
【図１Ｂ】
0006276157.tif 000003
【図２Ａ】
0006276157.tif 000004
【図２Ｂ】
0006276157.tif 000005
【図２Ｃ】
0006276157.tif 000006
【図２Ｄ】
0006276157.tif 000007
【図３】
0006276157.tif 000008
【図４Ａ】
0006276157.tif 000009
【図４Ｂ】
0006276157.tif 000010
【図５Ａ】
0006276157.tif 000011
【図５Ｂ】
0006276157.tif 000012
【図６Ａ】
0006276157.tif 000013
【図６Ｂ】
0006276157.tif 000014